(57)【要約】【課題】紙粉のような粉状の塵だけでなく、糸状、帯状などの長め、或いは大きめの塵でも難なく吸引除去することができる除塵装置を提供する。【解決手段】一方向に走行する平面状のワーク１の表面に付着した塵を除去する装置であって、真空吸引装置と通気しておりワーク１との対向面が開口４している吸気室６と、該吸気室６内に上記ワーク１と摺接可能に設けられる回転ブラシ７と、該回転ブラシ７を回転駆動するモータ１０と、先端部が該回転ブラシ７の刷毛９間に侵入するように該吸気室６内に設けられ該回転ブラシ７に付着した塵を梳き取る梳櫛１３とからなる。【選択図】図２
2012143687.tif 000002
【特許請求の範囲】
【請求項１】
一方向に走行する平面状のワークの表面に付着した塵を除去する装置であって、真空吸引装置と通気しておりワークとの対向面が開口している吸気室と、該吸気室内に上記ワークと摺接可能に設けられる回転ブラシと、該回転ブラシを回転駆動するモータと、先端部が該回転ブラシの刷毛間に侵入するように該吸気室内に設けられ該回転ブラシに付着した塵を梳き取る梳櫛とからなることを特徴とする除塵装置。
【請求項２】
梳櫛は、吸気室内において回転ブラシが回転する際の刷毛の上昇側部位に当たるように先端を下向きにして垂下状に設けたものであることを特徴とする請求項１に記載した除塵装置。
【請求項３】
回転ブラシは、長手方向の中央部にてネジリ方向が反転する螺旋状なるように回転軸の外周に刷毛を固植してなることを特徴とする請求項１または２に記載した除塵装置。
【発明の詳細な説明】
【技術分野】
【０００１】
本発明は、段ボール紙等の平面状のワークの搬送ラインに設けられ、該ワークの表面に付着している紙粉、裁断屑等を真空吸引により除去する除塵装置に関するものである。
【背景技術】
【０００２】
例えば、裁断時に発生した紙粉、裁断屑等の塵が段ボール紙の表面に付着したままで、その段ボール紙に印刷をすると、インクが載らない部分ができて不良品を発生することが多々あった。下記特許文献１に示された除塵装置は、概略を図６に示したように、真空吸引装置と連なり開口部aが段ボール紙等のワークbの表面と相対する吸気室ｃを形成し、該吸気室ｃ内に回転ブラシｄを設けるとともに、該回転ブラシｄに近接乃至当接するようにノズルeを設け、回転ブラシｄに付着した塵を該ノズルeにより吸込除去しようとするものであった。
【先行技術文献】
【特許文献】
【０００３】
【特許文献１】特許第３１２２３７０号公報
【発明の概要】
【発明が解決しようとする課題】
【０００４】
しかし、上記従来の除塵装置の構造では、長い糸状或いは帯状の裁断屑がノズルにより吸込されないなど、回転ブラシに付着した塵を十分に取り除くことができず、ノズル孔を詰まらせるおそれがあった。
【課題を解決するための手段】
【０００５】
本発明に係る除塵装置は、上記課題を解決しようとするもので、一方向に走行する平面状のワークの表面に付着した塵を除去する装置であって、真空吸引装置と通気しておりワークとの対向面が開口している吸気室と、該吸気室内に上記ワークと摺接可能に設けられる回転ブラシと、該回転ブラシを回転駆動するモータと、先端部が該回転ブラシの刷毛内に侵入するように該吸気室内に設けられ該回転ブラシに付着した塵を梳き取る梳櫛とからなることを特徴とする。
また、本発明は、上記除塵装置において、梳櫛は、吸気室内において回転ブラシが回転する際の刷毛の上昇側部位に当たるように先端を下向きにして垂下状に設けたものであることを特徴とする。
また、本発明は、上記除塵装置において、回転ブラシは、長手方向の中央部にてネジリ方向が反転する螺旋状なるように回転軸の外周に刷毛を固植してなることを特徴とする。
【発明の効果】
【０００６】
本発明に係る除塵装置では、紙粉のような粉状の塵だけでなく、糸状、帯状などの長め、或いは大きめの塵も難なく吸引除去することができる。
【図面の簡単な説明】
【０００７】
【図１】本発明に係る除塵装置の平面図。
【図２】本発明に係る除塵装置の横断面図。
【図３】本発明に係る除塵装置の縦断面図。
【図４】本発明に係る除塵装置の回転ブラシの斜視図。
【図５】本発明に係る除塵装置の回転ブラシの斜視図。
【図６】従来の除塵装置の横断面図。
【発明を実施するための形態】
【０００８】
次に本発明の実施形態を図面に従い説明する。図１は、矢印Ａ方向に水平に搬送される段ボール紙等の平面状のワーク１の搬送ラインを示し、２は該ワーク１の上部に横断状に支持された除塵装置で、該除塵装置はワーク１の幅方向に長いケーシング３の下面に図２に示したようにワーク１の上面と相対するスリット状の開口４が形成され、該ケーシング３に一端が連結された吸気ホース５の他端を集塵フィルタおよび吸気ブロワからなる真空吸引装置（図示せず）に連結することにより、該ケーシング３内に該真空吸引装置と通気する吸気室６が形成される。７は図４にも示したように回転軸８の外周面に緊密に刷毛９を植設してなる回転ブラシで、該回転ブラシ７は、ケーシング３の一端部に設けたモータ１０に該回転軸８の一端を直結するとともに該回転軸８の他端をケーシング３の他端部に軸支することにより、該回転ブラシ７の外周部が前記開口４から突出するように該吸気室６内に設けられ、該モータ１０を駆動することにより該回転ブラシ７が矢印Ｂ方向に回転し、刷毛９の先端がワーク１の上面に摺接する。即ち、回転ブラシ７を矢印Ｂ方向に回転させることにより、ワーク１の搬送方向と対向するように刷毛９の先端がワーク１の上面を摺接する。
【０００９】
しかして、回転ブラシ７の上部にケーシング３を幅方向に貫通するボルト１１を設け、該ボルト１１を吸気室６内にてカラー１２ａ，１２ｂに貫挿するとともに該カラー１２ａ，１２ｂの間に梳櫛１３の上縁部を挟着してナット１４を締め付けることにより、該梳櫛１３を吸気室６内にて先端が下向くように垂下状に支持する。カラー１２ａは他方のカラー１２ｂよりも軸方向に長いことから該梳櫛１３は回転ブラシ７に対して幅方向にずれて配置され、該梳櫛１３の先端部が該回転ブラシ７の刷毛９内に侵入し、しかも回転ブラシ７が矢印Ｂ方向に回転する際の刷毛９の上昇側部位に侵入して当たるように該梳櫛１３が支持される。
【００１０】
この除塵装置では、真空吸引装置を作動させることにより吸気室６内を減圧し、開口４から外気を吸引させると同時に、回転ブラシ７を回転させ刷毛９の先端をワーク１の上面に摺接させることにより、ワーク１の表面にあった紙粉等の塵が該刷毛９に付着して吸気室６内に持ち込まれ、該吸気室６内にて該刷毛９の隙間に梳櫛１３の先端部が侵入することから、該塵が該梳櫛１３によって梳き取られ、吸気ホース５を通して真空吸引装置に吸引される。このようにこの除塵装置では、回転ブラシ７に付着して吸気室６内に持ち込まれた塵を梳櫛１３によって梳き取るようにしたので、紙粉のような粉状の塵だけでなく、回転ブラシ７に糸状、帯状など長めの塵が付着しても梳櫛１３によって該塵を難なく確実に離脱させることができる。
【００１１】
一方、図５に示した回転ブラシ７は、長手方向の中央部にてネジリ方向が反転する螺旋状なるように回転軸８の外周に刷毛９を固植してなるもので、該回転ブラシ７が回転駆動されると、刷毛９の先端がワーク１の表面に対してワーク幅方向に波打つように順に摺接することから、該ワーク１の表面に付着していた帯状等の長め、或いは大きめ塵でも該回転ブラシ８の刷毛９間に保持されて、吸気室６内に持ち込まれ梳櫛１３によって梳き取られる。このため、図５に示した回転ブラシ７を設けた除塵装置によれば、より大きな塵、或いは種々の形状の塵でも難なく吸引除去することができる。なお、この回転ブラシ７においては刷毛９が長手方向の中央部にてネジリ方向が反転して固植されていることから、ワーク１面上の塵が刷毛９に当たって一幅方向にだけ移動し、該塵が片隅にだけ集まるのを避けることができる。
【００１２】
このためこの除塵装置では、従来のようにノズル孔が詰まったりすることなく、ワーク１に付着していた塵をより完全に除去することができ、トラブルのおそれなくメンテナンスフリーで長時間運転することが可能になる。
なお、この実施形態では、ワーク１の上面と相対するように除塵装置２を設けたが、除塵装置２をワーク１の下面と相対するように設けることもできる。
【符号の説明】
【００１３】
１    ワーク
２    除塵装置
３    ケーシング
４    開口
６    吸気室
７    回転ブラシ
８    回転軸
９    刷毛
１０  モータ
１３  梳櫛
【図１】
2012143687.tif 000003
【図２】
2012143687.tif 000004
【図３】
2012143687.tif 000005
【図４】
2012143687.tif 000006
【図５】
2012143687.tif 000007
【図６】
2012143687.tif 000008